(57)【要約】      （修正有）【課題】キャビネット本体に取り付ける際に、引出し側レール部材への位置合わせが容易にできることから取り付け操作がスムーズになる引出しを提供する。【解決手段】キャビネット本体に設けられた一対のキャビネット側レール部材１８ａと、一対のキャビネット側レール部材１８ａに対してスライド可能になった一対の引出し側レール部材１８ｃによってキャビネット本体から進退可能になった引出しを、保持機構を介して一対の引出し側レール部材１８ｃに着脱可能に取り付け、引出しの側板２２の下部に、底板２１の下面に沿って延びる水平片２２ｂを設けて、底板２１と水平片２２ｂの端部の間に引出し側レール部材１８ｃの外側面に対向するガイド部を形成し、ガイド部によって、引出しを引出し側レール部材１８ｃに取り付ける際の位置合わせを容易にした。【選択図】図６
2015146986.tif 000002
【特許請求の範囲】
【請求項１】
キャビネット本体に設けられた一対のキャビネット側レール部材と、前記一対のキャビネット側レール部材に対してそれぞれスライド可能になった一対の引出し側レール部材によって前記キャビネット本体の内部と外部の間で出し入れ可能になり、
保持機構を介して前記一対の引出し側レール部材に着脱可能に取り付けられる引出しであって、
底板と、前記底板の両側に組み付けられ、前記底板の下面に沿って延びる水平片が下部に設けられた一対の側板を備え、前記底板と前記一対の側板の水平片の端部とでそれぞれ前記一対の引出し側レール部材の上面と外側面に対向するガイド部が形成され、
前記引出しが前記一対の引出し側レール部材に取り付けられる際に、前記ガイド部が前記引出し側レール部材の外側面に当接して位置合わせを容易にすることを特徴とする引出し。
【請求項２】
前記一対の側板を、それぞれ前記側板の水平片とで前記底板の縁部を上下に挟む挟持片を備えた押出成形材で構成した請求項１に記載の引出し。
【請求項３】
前記一対の側板の後端に、コーナ部材を介して後板を連結し、前記コーナ部材の下部に、前記水平片の端部を延長する延長ガイド部を設けた請求項１または２に記載の引出し。
【請求項４】
前記保持機構に、前記引出し側レール部材の後端に設けられた引っ掛け部と、前記引っ掛け部に係合できる後部側係合部が備わっており、前記後部側係合部が前記コーナ部材に設けられている請求項３に記載の引出し。
【発明の詳細な説明】
【技術分野】
【０００１】
本発明は、各種の物品を収容するキャビネットや机等の物品収納家具に備わった引出しに関する。
【背景技術】
【０００２】
従来から、例えばシステムキッチンには、シンクや加熱調理器等が設けられた複数のキャビネットを組み付けて構成されたものがあり、このようなキャビネットには、通常、引出しが備わっている。このような引出しの中に、キャビネットの本体に対して引出しが横方向に位置ずれすることを防止できるものがある（例えば、特許文献１参照）。
【０００３】
この引出しは、キャビネット本体の側板に固定された一対の本体側レール部材に、それぞれ中間レール部材を介してスライド可能に連結された一対の引出し側レール部材に支持されている。そして、本体側レール部材に対して中間レール部材をスライドさせるとともに、中間レール部材に対して引出し側レール部材をスライドさせることによって、引出しはキャビネット本体の内部と外部の間で移動できる。また、引出しの下面両側部に、キャビネット本体の側板に向かって突出する突出部を有するガイド部材をそれぞれ取り付けて、突出部の先端が、本体側レール部材に当接することにより、キャビネット本体に対する引出しの横移動を所定量に規制している。
【先行技術文献】
【特許文献】
【０００４】
【特許文献１】特開２００６−２９６７２０号公報
【発明の概要】
【０００５】
しかしながら、前述した従来の引出しは、複数のレール部材からなるレール機構を介してキャビネット本体に取り付けられた状態で前後に移動する際には、ガイド部材が本体側レール部材に当接することによって横移動が規制されるが、引出しをキャビネット本体に取り付ける際には、ガイド部材は横移動を規制するガイドとして機能できない。すなわち、この引出しは、引出し側レール部材にねじで固定されており、このため、引出しをキャビネット本体に取り付ける際には、引出し側レール部材の後端部を中間レール部材の前端部に合わせて水平方向に移動させることによりキャビネット本体に取り付けられる。このため、引出し側レール部材と中間レール部材の位置合わせがし難く、引出しをキャビネット本体に取り付ける操作が面倒になるという問題がある。
【０００６】
本発明は、前述した問題に対処するためになされたもので、その目的は、キャビネット本体に取り付ける際に、引出し側レール部材への位置合わせが容易にできることから取り付け操作がスムーズになる引出しを提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る引出しの構成上の特徴は、キャビネット本体（１２ｃ）に設けられた一対のキャビネット側レール部材（１８ａ）と、一対のキャビネット側レール部材に対してそれぞれスライド可能になった一対の引出し側レール部材（１８ｃ）によってキャビネット本体の内部と外部の間で出し入れ可能になり、保持機構（１９，１９ｃ，２７ｃ，３０）を介して一対の引出し側レール部材に着脱可能に取り付けられる引出し（２０）であって、底板（２１）と、底板の両側に組み付けられ底板の下面に沿って延びる水平片（２２ｂ）が下部に設けられた一対の側板（２２）を備え、底板と一対の側板の水平片の端部とでそれぞれ一対の引出し側レール部材の上面と外側面に対向するガイド部（２３ａ）が形成され、引出しが一対の引出し側レール部材に取り付けられる際に、ガイド部が引出し側レール部材の外側面に当接して位置合わせを容易にすることにある。ここで、水平片が底板の下面に沿うとは、引出しを上方から見たときに、水平片が底板と重なることであり、水平片の全てが底板と重なってもよいし、水平片の一部が底板と重なってもよい。
【０００８】
本発明に係る引出しは、キャビネット本体に設けられた一対のキャビネット側レール部材と、一対のキャビネット側レール部材にそれぞれスライド可能になった一対の引出し側レール部材によってキャビネット本体の内部と外部の間で移動可能になっている。この引出しをスライド移動させるレール機構は、一対のキャビネット側レール部材と一対の引出し側レール部材だけで構成してもよいし、キャビネット側レール部材と引出し側レール部材の間にそれぞれ１個または複数の中間レールが設けられたもので構成してもよい。
【０００９】
また、引出しに備わった一対の側板は、底板の下面に沿って延びる水平片を下部に備え、底板の下面と側板の水平片の端部とで一対の引出し側レール部材の上面と両外側面に対向する一対のガイド部が形成されている。このため、引出しを一対の引出し側レール部材に取り付ける際に、ガイド部が引出し側レール部材の外側面に当接するため、引出しの横方向への移動が規制され、位置合わせがし易くなる。この場合、引出しは、一対のガイド部間に、一対の引出し側レール部材を位置させるようにして上方または前方から一対の引出し側レール部材の上面に置かれたのちに保持機構に保持される。ここで、引出し側レール部材の外側面とは、引出しの側板と対向する面を言う。また、水平片の端部は、引出し側レール部材の外側面と連続して当接できるように設けてもよいし、間隔をおいて当接するように設けてもよい。保持機構を介して、一対の引出し側レール部材に取り付けられた引出しを、キャビネット本体に対して移動させると、引出し側レール部材は、キャビネット側レール部材に対してスライドして引出しとともに移動する。
【００１０】
保持機構としては、引出しを一対の引出し側レール部材に対して位置ずれさせることなく着脱可能に取り付けることができるものであればよいが、引出しの前端と後端の少なくとも一方を一対の引出し側レール部材の少なくとも一方に係合できるものであることが好ましい。この保持機構は、例えば、引出し側レール部材の後端に係合部を設け、引出しの下面前部に引出し側レール部材の前端部に着脱可能に係合する前側係合部材を設けるとともに、引出しの後面に引出し側レール部材の係合部に係合する後側係合部を設けることによって構成することができる。また、水平片は、側板の下端部に設けて側板の断面形状がＬ形になるようにしてもよいし、側板の下端部近傍に設けてもよい。
【００１１】
本発明に係る引出しの他の構成上の特徴は、一対の側板を、それぞれ側板の水平片とで底板の縁部を上下に挟む挟持片（２２ｃ）を備えた押出成形材で構成したことにある。
【００１２】
本発明によると、側板の水平片と挟持片で底板を挟持するため側板と底板をより強固に連結できるとともに、側板と底板の間の隙間が見えなくなるため美観が向上する。また、側板を構成する押出成形材としては、金属または樹脂を用いることができ、金属を用いた場合には、側板を薄肉にして引出しの収納容積を増加させることができる。樹脂を用いた場合には、軽量化が可能になる。
【００１３】
本発明に係る引出しのさらに他の構成上の特徴は、一対の側板の後端に、コーナ部材（２７）を介して後板（２５）を連結し、コーナ部材の下部に、側板の水平片を延長する延長ガイド部（２７ｇ）を設けたことにある。
【００１４】
本発明では、一対の側板の後端と後板をコーナ部材で連結しているため、一対の側板の後端と後板の境界部に寸法誤差が生じても容易に組み付けできるとともに、側板と後板の境界部が隠れて美観が増すようになる。また、コーナ部材の下部に延長ガイド部を設けたため、引出しを引出し側レール部材に取り付ける際に、位置合わせがし易くなる。すなわち、引出しを後部が前部よりも下側になるように傾斜させて後端側から引出し側レール部材に位置合わせするときに、後端下部にもガイド部を延長する延長ガイド部が形成されているため、コーナ部材を設けることによって、位置合わせがし難くなることが無くなる。
【００１５】
なお、本発明において、延長ガイド部が側板の水平片の端部を延長するとは、ガイド部の引出し側レール部材の外側面と当接できる側面（水平片の端面）と延長ガイド部が、同一面上に位置することであり、水平片の端部と連続して形成されていても、間隔をおいて形成されていてもよい。
【００１６】
本発明に係る引出しのさらに他の構成上の特徴は、保持機構に、引出し側レール部材の後端に設けられた引っ掛け部（１９）と、引っ掛け部に係合できる後部側係合部（２７ｃ）が備わっており、後部側係合部がコーナ部材に設けられていることにある。
【００１７】
本発明によると、引出しの後端に設けられた後部側係合部が、引出し側レール部材の後端に設けられた引っ掛け部に係合するため、引出し側レール部材に取り付けられた引出しが左右や上下に位置ずれすることを防止できる。この場合の引っ掛け部と後部側係合部は、引出し側レール部材に対して引出しを前後に移動させることにより着脱でき、係合しているときに引出しが引出し側レール部材に対して位置ずれすることを防止するだけのものであってもよいし、係合しているときに引出しと引出し側レール部材が一緒に移動するようにするものであってもよい。
【００１８】
引っ掛け部と後部側係合部が係合しているときに引出しが引出し側レール部材に対して位置ずれすることを防止する機能だけを備えたものとした場合には、保持機構に、別途、引出しを引出し側レール部材に着脱するための機構を含ませる。この着脱機構は、例えば、引出しの下面前部に引出し側レール部材の前端部に着脱可能に係合する前部側係合部材を設けたもので構成することができる。この場合の前部側係合部材は、前方から引出し側レール部材の前端部に押し付けると引出し側レール部材の前端部に係合し、所定の操作を行ったり、引出し側レール部材に対して強い力で前方に引っ張ったりすることで引出し側レール部材の前部との係合を解除できるもので構成できる。
【図面の簡単な説明】
【００１９】
【図１】本発明の一実施形態に係る引出しを備えたシステムキッチンを示した斜視図である。
【図２】レール機構を示した斜視図である。
【図３】キャビネット本体から引出し側レール部材を引き出した状態を示した斜視図である。
【図４】引出しを示した斜視図である。
【図５】引出しの底面を示した底面図である。
【図６】キャビネット本体に取り付けられた引出しを示した断面図である。
【図７】コーナ部材を斜め後方から見た状態を示した斜視図である。
【図８】コーナ部材を斜め前方から見た状態を示した斜視図である。
【図９】コーナ部材の正面図である。
【図１０】引出しの底面に形成されたガイド部と延長ガイド部を示した斜視図である。
【図１１】引出し側レール部材に引出しを取り付ける状態を示した説明図である。
【図１２】引出し側レール部材に引出しを取り付けた状態を示した斜視図である。
【発明を実施するための形態】
【００２０】
以下、本発明の一実施形態に係る引出しを図面を用いて詳しく説明する。図１は、同実施形態に係る引出し２０を備えたシステムキッチン１０を示している。なお、以下の説明において、前後、左右、上下の各方向は、図１に基づいたものとし、図１の手前（正面）側を前方、奥側を後方とする。このシステムキッチン１０は、正面から見た状態で、食器洗浄乾燥機１１及び引出し２０を備えた中央側キャビネット１２の右側にコンロキャビネット１３を組み付け、中央側キャビネット１２の左側にシンクキャビネット１４を組み付けて構成されている。
【００２１】
システムキッチン１０の上面部はカウンター１５で構成されており、コンロキャビネット１３の上部におけるカウンター１５の部分には、コンロ台１６が設けられ、シンクキャビネット１４の上部におけるカウンター１５の部分には、シンク１７及び水栓１７ａが設けられている。また、中央側キャビネット１２には、引出し２０の他、引出し１２ａ，１２ｂも設けられている。そして、コンロキャビネット１３には引出し１３ａ，１３ｂが設けられ、シンクキャビネット１４には引き出し１４ａ，１４ｂが設けられている。
【００２２】
図２に示したように、中央側キャビネット１２のキャビネット本体１２ｃの側板１２ｄには、前後方向に伸縮可能なレール機構１８が取り付けられており、引出し２０は、このレール機構１８よってキャビネット本体１２ｃの内部と外部との間でスライド移動可能になっている。レール機構１８は、引出し２０の下端部に位置するように設置されており、キャビネット側レール部材１８ａと、中間レール部材１８ｂと、引出し側レール部材１８ｃで構成されている。キャビネット側レール部材１８ａは、側板１２ｄの中央より少し後部から前部にかけての部分に水平方向に延びた状態で固定されている。中間レール部材１８ｂは、ベアリング１８ｄ（図６参照）を介してキャビネット側レール部材１８ａにスライド可能に連結されており、引出し側レール部材１８ｃは、ベアリング１８ｅを介して中間レール部材１８ｂにスライド可能に連結されている。
【００２３】
引出し側レール部材１８ｃが、キャビネット本体１２ｃの内部に位置しているときには、キャビネット側レール部材１８ａと、中間レール部材１８ｂと、引出し側レール部材１８ｃは重なり合った状態になる。その状態から引出し側レール部材１８ｃを前方に引っ張ると、引出し側レール部材１８ｃは、中間レール部材１８ｂがキャビネット側レール部材１８ａに対して前方に移動できる距離と、引出し側レール部材１８ｃが中間レール部材１８ｂに対して前方に移動できる距離との合計距離分前方に移動できる。
【００２４】
引出し側レール部材１８ｃの後端部には、引っ掛け部１９が設けられている。この引っ掛け部１９は、引出し側レール部材１８ｃの後端部から上方に延びる垂直部１９ａと、垂直部１９ａの上部から前方に延びる水平部１９ｂで構成されている。垂直部１９ａは、正面視が略正方形の板状に形成され、水平部１９ｂは、平面視で、左右の幅よりも前後の長さが長い板状に形成されている。また、引出し側レール部材１８ｃの先端部は、他の部分よりも細くなっており、その先端部に、左右に延びる係合穴を備えた挿し込み部１９ｃ（図３参照）が取り付けられている。このように構成されたレール機構１８は、左右対称に一対設けられており、図３に示したように、もう一方のレール機構１８は、左側の側板１２ｄに対向する右側の側板１２ｄに取り付けられている。
【００２５】
引出し２０は、図４及び図５に示したように、水平に配置された底板２１の左右両縁部に一対の側板２２を垂直にして固定し、底板２１の前端面と一対の側板２２の前端面に化粧板２４を垂直にして固定するとともに、底板２１の後端面と一対の側板２２の後端部に後板２５を垂直にして固定することにより本体部分が形成されている。底板２１は、左右の長さよりも前後の長さが長い矩形の木材板からなり、一対の側板２２はそれぞれ上下の長さよりも前後の長さが長い矩形の金属板からなっている。この側板２２は押出成形によって成形されたものである。
【００２６】
一対の側板２２は、左右対称に配置された同一のもので構成されており、図６に示した断面図のように、板本体２２ａと、板本体２２ａの内面の下端近傍から水平に延びる水平片２２ｂと、板本体２２ａの内面における水平片２２ｂの上方に水平片２２ｂと平行して形成された挟持片２２ｃを備えている。水平片２２ｂの上面と、挟持片２２ｃの下端部との間隔は、底板２１の厚みと略同じに設定されている。また、各側板２２の内面上端には、内側に突出する補強用突条２２ｄが各側板２２の縁部に沿って形成されている。
【００２７】
さらに、各側板２２の外面には、水平に延びる４つの保護用突条２２ｅが上下に間隔をおいて設けられ、水平片２２ｂには上下に貫通する２つのねじ挿通穴（図示せず）が前後に間隔をおいて設けられている。また、挟持片２２ｃと補強用突条２２ｄには、それぞれ前後に貫通する貫通孔２２ｆが形成されている。なお、挟持片２２ｃの下部は開口しており、貫通孔２２ｆは溝状に形成されている。
【００２８】
保護用突条２２ｅは、押出成形後の側板２２を外面を下に向けて置いたときに、外面に傷がつくことを防止するために形成されたものであり、側板２２の上端と、下端と、中央部分と、下端と中央部分の間にそれぞれ形成されている。この保護用突条２２ｅによって側板２２の美観も向上する。底板２１と各側板２２は、各側板２２のそれぞれの水平片２２ｂと挟持片２２ｃの間に、底板２１の左右両側の縁部を挿し込むことによって組み付けられ、水平片２２ｂの下方からねじ挿通穴にねじ２３を通し、そのねじ２３のねじ部を底板２１に螺合させることにより固定されている。
【００２９】
なお、各側板２２の平面部分の厚みはそれぞれ２ｍｍになっており、このため、底板２１の下面と、各水平片２２ｂの端面とでそれぞれ高さが２ｍｍのガイド部２３ａが形成されている。両ガイド部２３ａ（両水平片２２ｂの端面）の間隔は、一対の引出し側レール部材１８ｃの両外側の側面の間隔に対応しており、各水平片２２ｂの端面が、対向する引出し側レール部材１８ｃの外側面との間に僅かな隙間が生じるように設定されている。
【００３０】
化粧板２４は、左右の長さが底板２１よりも少し長く設定され、上下の長さが側板２２の略２倍に設定された矩形の木材板で構成されており、前面に模様や色彩からなる意匠が施されている。また、化粧板２４の前面上部には取っ手２４ａが取り付けられている。この化粧板２４は、後面の下部における左右の端部近傍部分に、一対の位置調節部材２６を介して一対の側板２２の前端部を固定することにより底板２１と一対の側板２２に組み付けられている。なお、図示は省略するが、位置調節部材２６は、挿通穴が形成された板部材やカム部を有するねじを備えており、挿通穴に対するカム部の位置を変えることにより、化粧板２４の位置を変更できる構成になっている。
【００３１】
後板２５は、左右の長さが底板２１よりも少し短く設定され、上下の長さが側板２２よりも少し短く設定された矩形の木材板で構成されている。この後板２５は、左右両側部分が、一対のコーナ部材２７によって一対の側板２２の後端部に固定されることにより底板２１と一対の側板２２に組み付けられている。一対のコーナ部材２７は、左右対称に形成された縦長の樹脂成形品で構成されている。そして、左右に配置される一対のコーナ部材２７のうち右側に配置されるコーナ部材２７は、図７ないし図９に示したように形成されており、側板２２に固定される側板固定部２８と、後板２５に固定される後板固定部２９を備えている。
【００３２】
側板固定部２８と、後板固定部２９は、縦長の仕切壁２７ａを挟んで左右に設けられており、仕切壁２７ａの上端には、側板固定部２８と後板固定部２９の双方の上端部を構成する天井部２７ｂが水平に形成されている。側板固定部２８は、天井部２７ｂの右側部分（図７では左側部分）の他、前面部２８ａと、側面部２８ｂと、底面部２８ｃを備えており、上下方向の長さが側板２２よりも少し長くなっている。また、前面部２８ａは、上下方向の長さが仕切壁２７ａと同じになっており、仕切壁２７ａの前縁部に直交して仕切壁２７ａの右側に位置している。
【００３３】
そして、前面部２８ａの右寄り部分の上部と下部にそれぞれ前後に貫通するねじ挿通孔２８ｄが形成されている。この２つのねじ挿通孔２８ｄのうち下部のねじ挿通孔２８ｄは円形に形成され、上部のねじ挿通孔２８ｄは縦長の長円形に形成されている。また、２つのねじ挿通孔２８ｄの中心の間隔は、側板２２の挟持片２２ｃと補強用突条２２ｄにそれぞれ形成された２つの貫通孔２２ｆの中心の間隔と同じになっている。また、側面部２８ｂは、前面部２８ａに直交して前面部２８ａの右側後方に位置しており、前面部２８ａの上端から底面部２８ｃの下端に対応する位置に延びている。
【００３４】
底面部２８ｃは後方が開口した箱状に形成されており、その前面は前面部２８ａの下端と間隔をおいて下方に位置している。この底面部２８ｃは、コーナ部材２７を側板２２に取り付けたときに、下面が側板２２の下端よりも少し上方に位置する（図１０参照）ように形成されており、その下面の右端前部に凹状嵌合部２８ｅが形成されている。この凹状嵌合部２８ｅは、側板２２の下端部の後端部を挿し込める形状に形成されている。なお、コーナ部材２７を側板２２に取り付けたときに、底面部２８ｃの上面は、側板２２の水平片２２ｂの下面と同じ高さになって、底面部２８ｃの上面前端部は、水平片２２ｂの後端部に重なる。また、底面部２８ｃの内側面は、延長ガイド部２７ｇとされ、（図９の左縁部）水平片２２ｂの端部と同一面上に位置し、水平片２２ｂの端部を延長する。
【００３５】
また、天井部２７ｂの右側部分、側面部２８ｂ及び凹状嵌合部２８ｅの外側から下部にかけての部分の前縁部は、前面部２８ａ及び底面部２８ｃの前面よりも僅かに前方に突出しており、前面部２８ａの上縁部と外側縁部、底面部２８ｃの外側縁部及び凹状嵌合部２８ｅの外側縁部から下縁部にかけての部分には、位置決め用の段部２８ｆが形成されている。そして、側板固定部２８の後部における前面部２８ａと底面部２８ｃの間の隙間に対応する部分には、小後面部２８ｇが形成され、仕切壁２７ａと側面部２８ｂの間には、１つの縦桟と複数の横桟からなる補強リブ２８ｈが形成されている。
【００３６】
後板固定部２９は、側板固定部２８の左側（左側に配置されるコーナ部材２７では右側）に位置しており、天井部２７ｂの左側部分の他、後面部２９ａを備えている。後面部２９ａは、仕切壁２７ａの後縁部に直交して仕切壁２７ａの左側に位置しており、前面部２８ａの上端から、底面部２８ｃの上端に対応する位置に延びている。また、後面部２９ａの上部と下部にはそれぞれねじ挿通孔２９ｂが形成されており、後面部２９ａの後面下端には、本発明に係る後部側係合部としての引っ掛かり部２７ｃが形成されている。この引っ掛かり部２７ｃは、前後の長さよりも左右の長さが長く、左右の長さよりも上下の長さがながくなった四角枠状の突部の内部に左右に延びる隔壁２７ｄを形成することによって形成されている。
【００３７】
そして、後面部２９ａにおける四角枠状の突部の上部と隔壁２７ｄで囲まれた空間に対応する部分に前後に貫通する孔を設けることによって正面視が横長長円形のガイド孔２７ｅが形成されている。このガイド孔２７ｅは、コーナ部材２７が引出し２０に組み込まれたときに、引出し側レール部材１８ｃの引っ掛け部１９の水平部１９ｂに対応するように形成されており、内部に水平部１９ｂを挿入できる。さらに、コーナ部材２７が引出し２０に組み込まれたときに、後面部２９ａの下端部の高さは、底板２１の下面の高さと同じになる。すなわち、後面部２９ａの下面と底板２１の下面は同一面上に位置する。また、後面部２９ａの下面と延長ガイド部２７ｇ、底板２１の下面および後板２５の下面と延長ガイド部２７ｇとで、延長ガイド段部２７ｆが形成されている。
【００３８】
このように構成されたコーナ部材２７を用いて、一対の側板２２に後板２５を連結するときには、まず、予め組み付けられた底板２１と一対の側板２２の後端に、後板２５を配置する。つぎに、一方の側板２２の後端の外側縁部に位置決め用の段部２８ｆを沿わせて、側板２２の後端面に側板固定部２８の前面部２８ａを合わせる。このとき、後板固定部２９の後面部２９ａと天井部２７ｂの左側部分に後板２５が当接する。
【００３９】
その状態で、後方から前面部２８ａの２つのねじ挿通孔２８ｄにそれぞれねじ（図示せず）を通し、そのねじ部を側板２２の２つの貫通孔２２ｆに螺合させる。この場合、上部のねじ挿通孔２８ｄが縦長になっているため、前面部２８ａの下部と側板２２の後端下部を固定したのちに、前面部２８ａの上部と側板２２の後端上部を固定する。これによって、一方の側板２２の後端にコーナ部材２７が固定される。同様の操作で、もう一方の側板２２の後端にもコーナ部材２７を固定する。
【００４０】
つぎに、後板２５を上下方向及び左右方向に移動して一方の側板２２に対する後板２５の位置を適正位置に調節したのちに、後方から後面部２９ａの２つのねじ挿通孔２９ｂに、それぞれねじ２９ｃを通し、そのねじ部を後板２５に螺合させる。これによって、一方の側板２２の後端にコーナ部材２７を介して後板２５の一方の縁部が連結される。同様の操作で、もう一方の側板２２の後端にもコーナ部材２７を介して後板２５のもう一方の縁部を連結する。これによって、一対の側板２２に後板２５が連結される。
【００４１】
また、後板２５が一対の側板２２に連結されたときに、図１０に示したように、延長ガイド段部２７ｆの角部とガイド部２３ａの角部が間隔をおいて同一線上に位置するようになる。このとき、底面部２８ｃと後板２５の間にも角部が生じるが、前述した後板２５の位置調節の際に、後板２５の下端面が底板２１の下面と同じ高さかそれよりも僅かに上方に位置するようにして、底面部２８ｃと後板２５の角部が底板２１の下面よりも高い位置になるようにしておく。これによって、同一線上に位置する延長ガイド段部２７ｆの角部とガイド部２３ａの角部の間に底板２１の下端部が位置して、ガイド機能の障害になることがなくなる。
【００４２】
また、底板２１の下面前部の左右両側には、図５に示したように、一対の前部側係合部材３０が取り付けられている。この前部側係合部材３０は、それぞれ解除レバー部３１と回転固定部３２を備えている。解除レバー部３１は、前後に長く上下が短い箱状に形成されており、左右方向の外側が開口している。そして、この解除レバー部３１は、前端部分が支持部３１ａに回転可能に支持され、ばね（図示せず）によって後部が左右方向の内側に付勢されている。
【００４３】
回転固定部３２は、一部を解除レバー部３１内に入れて解除レバー部３１と連動して回転するように構成された回転部３３と、回転部３３に対向して底板２１に固定された固定部３４で構成されている。回転部３３は、ばねによって後部が左右方向の外側に付勢されており、解除レバー部３１と連動して互いに反対方向に回転する。また、回転部３３の後部には後端が前部よりも内側に位置する傾斜部３３ａが形成され、回転部３３の前部側には、固定部３４側に突出する突部３３ｂが形成されている。
【００４４】
一対の前部側係合部材３０における回転固定部３２の間隔は、一対の引出し側レール部材１８ｃの間隔と同じに設定され、回転部３３と、固定部３４の間には、引出し側レール部材１８ｃの先端に取り付けられた挿し込み部１９ｃを挿し込むことができる。また、回転部３３の突部３３ｂは、挿し込み部１９ｃの係合穴に係合可能になっている。そして、一対の引出し側レール部材１８ｃの先端にそれぞれ傾斜部３３ａを合わせて前部側係合部材３０を後方に移動させると、回転部３３が引出し側レール部材１８ｃの先端に押されて回転し、挿し込み部１９ｃは回転部３３と固定部３４の間に入っていく。
【００４５】
また、引出し側レール部材１８ｃの内側面における挿し込み部１９ｃの後方には、回転部３３の後部（傾斜部３３ａが形成された部分とその前方側の外側に突出した部分）が入ることのできる凹部が形成されている。このため、挿し込み部１９ｃが回転部３３の後部を通過すると、ばねの付勢力によって回転部３３は元の状態に復帰して、引出し側レール部材１８ｃの凹部に回転部３３の後部が入り、挿し込み部１９ｃの係合穴に突部３３ｂが係合する。
【００４６】
また、前部側係合部材３０と引出し側レール部材１８ｃの係合を解除するときには、解除レバー部３１の後部を左右方向の外側に押して挿し込み部１９ｃの係合穴と突部３３ｂの係合を解除したのちに、引出し側レール部材１８ｃに対して前部側係合部材３０を前方に移動させる。これによって、前部側係合部材３０は、引出し側レール部材１８ｃから離れる。なお、前部側係合部材３０と引出し側レール部材１８ｃの先端に取り付けられた挿し込み部１９ｃ及び引っ掛かり部２７ｃと引出し側レール部材１８ｃの引っ掛け部１９で本発明に係る保持機構が構成される。
【００４７】
また、図４に示したように、一対の側板２２の上端には、倒れ防止棒３５が取り付けられている。この倒れ防止棒３５は、樹脂からなっており、棒本体３５ａの両端に把持部３５ｂをそれぞれ固定して構成されている。把持部３５ｂは、棒本体３５ａの端部を覆った状態で棒本体３５ａに固定された筒状部分と、筒状部分から外部側に突出し、側板２２の上端に形成された補強用突条２２ｄを上方から覆って係合するＣ字状部分で構成されており、Ｃ字状部分は弾性を備えている。この倒れ防止棒３５は、一対の側板２２の上端の任意の位置に掛け渡して取り付けることができ、取り付けられた状態では、把持部３５ｂのＣ字状部分が補強用突条２２ｄを把持することで物が当たった程度では位置ずれすることがない。
【００４８】
このように構成された引き出し２０を中央側キャビネット１２のキャビネット本体１２ｃに取り付けるときには、まず、キャビネット本体１２ｃの内部から一対の引出し側レール部材１８ｃを前方に引っ張り出す（図３参照）。つぎに、図１１に示したようにして、引出し側レール部材１８ｃに引き出し２０を取り付ける。このとき、一対の延長ガイド部２７ｇ間に、一対の引出し側レール部材１８ｃを入れるようにして、引き出し２０を傾けてその後端下部を一対の引出し側レール部材１８ｃに重ねる。そして、引き出し２０を水平方向に向けながら一対のガイド部２３ａを後部側から一対の引出し側レール部材１８ｃの外側面に沿わせていく。
【００４９】
その状態で、一対の引出し側レール部材１８ｃに対して引き出し２０を後方に移動させると、引っ掛かり部２７ｃのガイド孔２７ｅ内に引っ掛け部１９の水平部１９ｂが入り、前部側係合部材３０に、引出し側レール部材１８ｃの挿し込み部１９ｃが係合する。これによって、引き出し２０は、一対の引出し側レール部材１８ｃに保持されて、図１２の状態になる。この状態では、引き出し２０は、ガイド部２３ａによって一対の引出し側レール部材１８ｃに対する横ずれが防止され、前部が引出し側レール部材１８ｃの先端に係合し、後部が引っ掛け部１９に係合することによって前後方向へのずれ及び上下方向へのがたつきが防止される。このため、引き出し２０は、位置ずれやがたつきを防止された状態で一対の引出し側レール部材１８ｃとともに前後移動が可能になる。
【００５０】
以上のように、本実施形態に係る引出し２０では、側板２２の下部に水平片２２ｂが設けられているため側板２２を底板２１に組み付けたときに、底板２１の下面と水平片２２ｂの端面の間にガイド部２３ａが形成される。このため、引出し２０を一対の引出し側レール部材１８ｃに取り付けるときに、ガイド部２３ａが引出し側レール部材１８ｃの外面に当接して横ずれを防止するガイドとして機能する。これによって、引出し２０を一対の引出し側レール部材１８ｃに取り付ける操作が容易になる。
【００５１】
また、側板２２には、水平片２２ｂとで底板２１の側部を上下に挟む挟持片２２ｃが備わっているため、側板２２と底板２１をより強固に連結できるとともに、側板２２と底板２１の間の隙間が見えなくなるため美観が向上する。さらに、側板２２は、金属の押出成形材からなっているため、側板２２を薄肉にして引出し２０の収納容積を増加させることができる。また、一対の側板２２と後板２５を一対のコーナ部材２７で連結したため、一対の側板２２の後端と後板２５の縁部の間に寸法誤差が生じても容易に組み付けできるとともに、側板２２と後板２５の境界部が隠れて美観が増すようになる。
【００５２】
さらに、コーナ部材２７に延長ガイド部２７ｇを形成したため、コーナ部材２７を設けることによって、位置合わせがし易い。また、引き出し２０の前部に引出し側レール部材１８ｃの先端部に係合できる前部側係合部材３０を取り付けるとともに、引き出し２０の後部に引出し側レール部材１８ｃの引っ掛け部１９に係合する引っ掛かり部２７ｃを設けている。このため、引き出し２０が位置ずれしたりがたついたりすることなく、引出し側レール部材１８ｃに保持させることができる。
【００５３】
本発明に係る引出しは、前述した実施形態に限定するものでなく、適宜、変更して実施することが可能である。例えば、側板２２の水平片２２ｂと底板２１との間に隙間を設けてガイド部を形成してもよい。また、前述した実施形態では、レール機構１８を、キャビネット側レール部材１８ａと、中間レール部材１８ｂと、引出し側レール部材１８ｃで構成しているが、このレール機構は、中間レール部材１８ｂのないもので構成してもよいし、２個以上の中間レール部材１８ｂを備えたもので構成してもよい。また、保持機構は、引出し２０を一対の引出し側レール部材１８ｃに対して着脱可能に取り付けることができるものであれば、前述した実施形態と異なる構成をしていてもよい。
【００５４】
さらに、水平片２２ｂは、側板２２の下端部に設けてもよく、挟持片２２ｃは省略してもよい。また、側板２２は、金属でなく樹脂や木材で構成してもよい。さらに、前述した実施形態等では、引出し２０がシステムキッチン１０の中央側キャビネット１２に備わっているが、本発明に係る引出しは、これに限定するものでなく、コンロキャビネット１３やシンクキャビネット１４に備わった引出し１３ａ等で構成してもよいし、食器棚や机の引出し等、物品を収納する種々の家具に用いることができる。
【符号の説明】
【００５５】
１２ｃ…キャビネット本体、１８ａ…キャビネット側レール部材、１８ｃ…引出し側レール部材、１９…引っ掛け部、１９ｃ…挿し込み部、２０…引出し、２１…底板、２２…側板、２２ｂ…水平片、２２ｃ…挟持片、２３ａ…ガイド部、２５…後板、２７…コーナ部材、２７ｃ…引っ掛かり部、２７ｇ…延長ガイド部、３０…前部側係合部材。
【図１】
2015146986.tif 000003
【図２】
2015146986.tif 000004
【図３】
2015146986.tif 000005
【図４】
2015146986.tif 000006
【図５】
2015146986.tif 000007
【図６】
2015146986.tif 000008
【図７】
2015146986.tif 000009
【図８】
2015146986.tif 000010
【図９】
2015146986.tif 000011
【図１０】
2015146986.tif 000012
【図１１】
2015146986.tif 000013
【図１２】
2015146986.tif 000014